(57)【要約】【課題】メインプレートに載せたカンバスの高さを殆ど変えずにその角度を極めて容易に変更する。【解決手段】メインプレート１２の平面部１２ａ表面又は折曲部１２ｂ内面のいずれか一方又は双方にカンバス１１又は画用紙或いは小物が載せられ、メインプレート１２を支持する角度及び高さをそれぞれ独立して調整可能に平面部１２ａの裏面中央が支持具１３により結合手段１４を介して支持される。支持具１３の頂部に設けられた結合手段１４の固定プレート１６には取付ボルトが回転可能に取付けられ、固定プレート１６より大きくかつメインプレート１２より小さく形成され更に固定プレート１６に固定される連結プレート１７の中央には取付ボルトが螺合する雌ねじが形成される。メインプレート１２の裏面中央に形成されたプレート嵌入凹部は連結プレート１７に嵌入される。【選択図】  図１
2005007009.tif 000002
【特許請求の範囲】
【請求項１】
平面部（１２ａ）とこの平面部（１２ａ）の少なくとも下縁に折曲げて形成された折曲部（１２ｂ）とを有し前記平面部（１２ａ）表面又は前記折曲部（１２ｂ）内面のいずれか一方又は双方にカンバス（１１）又は画用紙或いは小物を載せるメインプレート（１２）と、
前記メインプレート（１２）を支持する角度及び高さをそれぞれ独立して調整可能に前記平面部（１２ａ）の裏面中央を結合手段（１４）を介して支持する支持具（１３）と
を備えたテーブル兼用イーゼル。
【請求項２】
結合手段（１４）が、支持具（１３）の頂部に設けられ取付ボルト（２１）が回転可能に取付けられた固定プレート（１６）と、中央に前記取付ボルト（２１）が螺合する雌ねじ（１７ａ）が形成され前記固定プレート（１６）に固定され更に前記固定プレート（１６）より大きくかつメインプレート（１２）より小さく形成された連結プレート（１７）と、前記メインプレート（１２）の裏面中央に形成され前記連結プレート（１７）に嵌入されるプレート嵌入凹部（１８）とを有する請求項１記載のテーブル兼用イーゼル。
【請求項３】
折曲部（１２ｂ）に所定の間隔をあけて曲率半径３〜１０ｍｍの複数の筆置き用凹部（１２ｃ）が形成された請求項１記載のテーブル兼用イーゼル。
【請求項４】
内径６〜２０ｍｍで高さ４０〜１００ｍｍである１又は２以上の筆立て用パイプ（５５）が第１プレート（５１）に立設され、前記第１プレート（５１）がメインプレート（１２）の周縁に取外し可能に取付けられた請求項１又は２記載のテーブル兼用イーゼル。
【請求項５】
内寸法３０〜１００ｍｍで高さ１０〜１００ｍｍである筒状の１又は２以上の筒部材（６１〜６３）が第２プレート（５２）に立設され、前記第２プレート（５２）がメインプレート（１２）の周縁に取外し可能に取付けられた請求項１又は２記載のテーブル兼用イーゼル。
【請求項６】
メインプレート（８２）が複数に分割され、前記複数のメインプレート（８２）が蝶番（８３）を介して連結され全てのメインプレート（８２）が同一平面をなすように展開可能でかつ折畳み可能に構成された請求項１又は２記載のテーブル兼用イーゼル。
【請求項７】
メインプレート（１２）とほぼ同一形状に形成されたサブプレート（９２）を有し、前記メインプレート（１２）が支持具（１３）に結合手段（１４）を介して支持された状態で前記サブプレート（９２）が係止手段（９３）を介して前記支持具（１３）にほぼ水平に取付けられた請求項１又は２記載のテーブル兼用イーゼル。
【発明の詳細な説明】
【０００１】
【発明の属する技術分野】
本発明は、カンバス又は画用紙を載せるイーゼルとして使用できるとともに、小物を載せるテーブルとしても使用できる、テーブル兼用イーゼルに関するものである。
【０００２】
【従来の技術】
従来、縦切欠き部及び横切欠き部からなりかつ横切欠き部が外側に向くように左右対称のＬ字形の一対の切欠きが台板の後辺に形成され、これらの切欠きにイーゼルの左右の前脚を差し入れることにより台板がイーゼルの左右の前脚に掛け渡して取付けられたイーゼル用テーブルが知られている（例えば、特許文献１参照）。
このように構成されたイーゼル用テーブルでは、一対のＬ字状の切欠きにイーゼルの左右の前脚を差し込むことにより、極めて簡単にイーゼルにテーブルを設置することができるので、野外の写生等に携行し易くなっている。
【０００３】
また、写生用のイーゼルに、パレット置き用アーム及び筆置き用アームを有する棚が取外し可能に取付けられたアーム状棚装置が知られている（例えば、特許文献２参照）。このアーム状棚装置は、パレット置き用棚桟の両端に形成された落とし込みと、パレット置き用アーム及び筆置き用アームに形成され落とし込みに嵌合可能な溝とを有する。
このように構成されたアーム状棚装置では、パレット置き用棚桟の両端に形成された落とし込みに、パレット置き用アーム及び筆置き用アームに形成された溝が嵌合するので、安定した棚が得られるようになっている。
【０００４】
【特許文献１】
特開２００２−３４６９３号公報（段落番号０００５、段落番号００１５、図３）
【特許文献２】
実開平６−１７８号公報（明細書第５頁、図１、図３、図９）
【０００５】
【発明が解決しようとする課題】
上記特許文献１に示されたイーゼル用テーブル及び上記特許文献２に示されたアーム状棚装置では、既に公知のイーゼルを用いている、即ち所定の角度に固定された一対の前脚と、上端が一対の前脚の上端に枢着され一対の前脚に対して前後方向に角度を変更できる単一の後脚とを有するイーゼルを用いている。またこれらの脚は伸縮可能になっている。このように構成されたイーゼルでは、イーゼルにより支持されたカンバスの角度を変更するために、一対の前脚に対する単一の後脚の角度を変えるとともに、これらの脚の長さを調整しなければならず、作業が煩わしい問題点があった。
【０００６】
特に水彩画を描くときには、絵の具の粘度が低いため、できるだけカンバスを水平に近い状態にする必要があるのに対し、上記イーゼルではカンバスを水平に支持することが難しい問題点もあった。このため、プレートの端縁に紐の両端を取付け、この紐を首に掛けてプレートを水平に保持した状態で、プレート上に画用紙を置いて水彩画を描く方法もある。しかし、この方法では自分の描いた水彩画を少し離れた位置から見たいときに、紐を首から外してプレートを近くの壁等に立て掛けなければならず、比較的煩わしい作業を伴う問題点があった。
【０００７】
本発明の第１の目的は、メインプレートに載せたカンバスの高さを殆ど変えずにその角度を極めて容易に変更できるとともに、メインプレートの支持角度及び支持高さを調整するだけで比較的容易にイーゼルからテーブルに或いはテーブルからイーゼルに変更できる、テーブル兼用イーゼルを提供することにある。
本発明の第２の目的は、比較的簡単な作業でメインプレートを支持具に着脱できる、テーブル兼用イーゼルを提供することにある。
本発明の第３の目的は、新たな部品を追加せずにテーブルとしての使用時にメインプレート上からの筆の転落を防止でき、また比較的簡単な部品の追加でイーゼルとしての使用時であっても或いはテーブルとしての使用時であっても筆立て用パイプからの筆の脱落を防止できる、テーブル兼用イーゼルを提供することにある。
【０００８】
本発明の第４の目的は、テーブルとしての使用時に、筒部材を、筆洗浄用又は絵の具希釈用の液体を貯留する壺や、この液体の入った瓶を保持する保持具として利用できる、テーブル兼用イーゼルを提供することにある。
本発明の第５の目的は、使用時に展開されるメインプレートを搬送時に折畳むことにより、メインプレートを容易に持ち運ぶことができる、テーブル兼用イーゼルを提供することにある。
本発明の第６の目的は、単一の支持具に、カンバス又は画用紙を載せるメインプレートのみならず小物を載せるサブプレートをも取付けることができる、テーブル兼用イーゼルを提供することにある。
【０００９】
【課題を解決するための手段】
請求項１に係る発明は、図１に示すように、平面部１２ａとこの平面部１２ａの少なくとも下縁に折曲げて形成された折曲部１２ｂとを有し平面部１２ａ表面又は折曲部１２ｂ内面のいずれか一方又は双方にカンバス１１又は画用紙或いは小物を載せるメインプレート１２と、メインプレート１２を支持する角度及び高さをそれぞれ独立して調整可能に平面部１２ａの裏面中央を結合手段１４を介して支持する支持具１３とを備えたテーブル兼用イーゼルである。
この請求項１に記載されたテーブル兼用イーゼルでは、メインプレート１２の支持角度をメインプレート１２の支持高さとは別に独立して調整できるので、このメインプレート１２に載せたカンバス１１の高さを殆ど変えることなく、カンバス１１の角度を極めて容易に変更できる。またメインプレート１２がほぼ水平になるようにメインプレート１２の支持角度を調整し、かつメインプレート１２が所定の高さになるようにメインプレート１２の支持高さを調整するだけで、水彩画の画用紙を載せるイーゼル又は小物を載せるテーブルとして使用できる。一方、メインプレート１２が所定の傾斜角度になるようにメインプレート１２の支持角度を調整し、かつメインプレート１２が所定の高さになるようにメインプレート１２の支持高さを調整するだけで、油絵のカンバス１１を載せるイーゼルとして使用できる。
【００１０】
請求項２に係る発明は、請求項１に係る発明であって、更に図２〜図４に示すように、結合手段１４が、支持具１３の頂部に設けられ取付ボルト２１が回転可能に取付けられた固定プレート１６と、中央に取付ボルト２１が螺合する雌ねじ１７ａが形成され固定プレート１６に固定され更に固定プレート１６より大きくかつメインプレート１２より小さく形成された連結プレート１７と、メインプレート１２の裏面中央に形成され連結プレート１７に嵌入されるプレート嵌入凹部１８とを有することを特徴とする。
この請求項２に記載されたテーブル兼用イーゼルでは、メインプレート１２の支持具１３への取付け時に、取付ボルト２１を連結プレート１７の雌ねじ１７ａに螺合して取付ボルト２１に連結プレート１７を固定した後に、プレート嵌入凹部１８を連結プレート１７に嵌入してメインプレート１２を支持具１３に取付ける。このとき雌ねじ１７ａがメインプレート１２より小さい連結プレート１７に形成されているため、取付ボルト２１を雌ねじ１７ａに容易に螺合できる。一方、メインプレート１２の支持具１３からの取外し時に、プレート嵌入凹部１８を連結プレート１７から引抜いてメインプレート１２を外した後に、連結プレート１７の雌ねじ１７ａから取付ボルト２１を外して連結プレート１７を固定プレート１６から外す。このとき雌ねじ１７ａがメインプレート１２より小さい連結プレート１７に形成されているため、取付ボルト２１を雌ねじ１７ａから容易に外すことができる。
【００１１】
請求項３に係る発明は、請求項１に係る発明であって、更に図６に示すように、折曲部１２ｂに所定の間隔をあけて曲率半径３〜１０ｍｍの複数の筆置き用凹部１２ｃが形成されたことを特徴とする。
この請求項３に記載されたテーブル兼用イーゼルでは、テーブルとしての使用時に、筆６４の一部を筆置き用凹部１２ｃに収容した状態で筆６４をメインプレート１２上に置くと、風が吹いたり或いはメインプレート１２が振動しても、筆６４はメインプレート１２上から転落しない。
【００１２】
請求項４に係る発明は、請求項１又は２に係る発明であって、更に図６及び図７に示すように、内径６〜２０ｍｍで高さ４０〜１００ｍｍである１又は２以上の筆立て用パイプ５５が第１プレート５１に立設され、第１プレート５１がメインプレート１２の周縁に取外し可能に取付けられたことを特徴とする。
この請求項４に記載されたテーブル兼用イーゼルでは、テーブルとしての使用時或いはイーゼルとしての使用時に、メインプレート１２の周縁に第１プレート５１を取付けて筆立て用パイプ５５に筆６４を挿入すると、風が吹いたり或いはメインプレート１２が振動しても、筆６４は筆立て用パイプ５５から脱落しない。
【００１３】
請求項５に係る発明は、請求項１又は２に係る発明であって、更に図６に示すように、内寸法３０〜１００ｍｍで高さ１０〜１００ｍｍである筒状の１又は２以上の筒部材６１〜６３が第２プレート５２に立設され、第２プレート５２がメインプレート１２の周縁に取外し可能に取付けられたことを特徴とする。
この請求項５に記載されたテーブル兼用イーゼルでは、テーブルとしての使用時に、筒部材６１，６２に筆洗浄用の液体６５や絵の具希釈用の液体６６を貯留することにより、上記筒部材６１，６２を筆洗浄用の壺や絵の具希釈用の壺として利用できる。また筒部材６３に上記液体６５，６６の入った瓶６７を収容することにより、上記筒部材６３を瓶６７の保持具として利用できる。
【００１４】
請求項６に係る発明は、請求項１又は２に係る発明であって、更に図９に示すように、メインプレート８２が複数に分割され、複数のメインプレート８２が蝶番８３を介して連結され全てのメインプレート８２が同一平面をなすように展開可能でかつ折畳み可能に構成されたことを特徴とする。
この請求項６に記載されたテーブル兼用イーゼルでは、使用時に展開されたメインプレート８２を搬送時に折畳むことにより、メインプレート８２を容易に持ち運ぶことができる。
【００１５】
請求項７に係る発明は、請求項１又は２に係る発明であって、更に図１０に示すように、メインプレート１２とほぼ同一形状に形成されたサブプレート９２を有し、メインプレート１２が支持具１３に結合手段１４を介して支持された状態でサブプレート９２が係止手段９３を介して支持具１３にほぼ水平に取付けられたことを特徴とする。
この請求項７に記載されたテーブル兼用イーゼルでは、支持具１３の頂部に結合手段１４を介してメインプレート１２を取付け、この支持具１３にサブプレート９２を係止手段９３を介してほぼ水平に取付けることにより、単一の支持具１３に、カンバス１１又は画用紙を載せるメインプレート１２のみならず、第１プレート５１、第２プレート５２、瓶６７等の小物を載せるサブプレート９２をも取付けることができる。
【００１６】
【発明の実施の形態】
次に本発明の第１の実施の形態を図面に基づいて説明する。
図１〜図３に示すように、テーブル兼用イーゼル１０は、カンバス１１を載せるメインプレート１２と、メインプレート１２を支持する支持具１３とを備える。メインプレート１２は、平面部１２ａと、この平面部１２ａの下縁に折曲げて形成された折曲部１２ｂとを有する（図１）。カンバス１１は平面部１２ａ表面及び折曲部１２ｂ内面の双方に載るように構成され、支持具１３は平面部１２ａの裏面中央を結合手段１４を介して支持するように構成される。メインプレート１２は厚さ１〜５ｍｍ、好ましくは２〜４ｍｍのプラスチック板により形成される。なお、メインプレートはアルミニウム板又はアルミニウム合金板等の軽量部材により形成してもよい。
【００１７】
結合手段１４は、図２〜図４に詳しく示すように、支持具１３の頂部に設けられた固定プレート１６と、この固定プレート１６に固定される連結プレート１７と、メインプレート１２の裏面中央に形成されたプレート嵌入凹部１８とを有する。固定プレート１６には取付ボルト２１が回転可能に取付けられ、連結プレート１７の中央には上記取付ボルト２１が螺合する雌ねじ１７ａが形成される。また連結プレート１７の大きさは固定プレート１６より大きくかつメインプレート１２より小さく形成される。上記プレート嵌入凹部１８は、略逆Ｕ字状に形成されかつ内周縁に沿ってＬ字状溝１９ａが形成された枠体１９を、メインプレート１２の平面部１２ａ裏面の中央に固着（接着、溶着又はビス止め）することにより、Ｌ字状溝１９ａ及びメインプレート１２裏面にて形成される。
【００１８】
枠体１９は透明プラスチックにより形成され、基部１９ｂと、この基部１９ｂの両端から基部１９ｂの長手方向に対して直角方向に延びて設けられた一対の腕部１９ｃ，１９ｃとを有する。枠体１９は、上記一対の腕部１９ｃ，１９ｃの先端がメインプレート１２の折曲部１２ｂ側に位置するように、換言すれば基部１９ｂが折曲部１２ｂと反対側のメインプレート１２の辺近傍に位置しかつこの辺と平行になるように固着される。なお、枠体は不透明のプラスチックにより形成してもよく、或いはアルミニウム又はアルミニウム合金等の軽量部材により形成してもよい。また枠体はメインプレートと一体成形してもよい。
【００１９】
プレート嵌入凹部１８の高さＲ（図２）は連結プレート１７の厚さより僅かに厚く形成され、プレート嵌入凹部１８の幅Ｓ（図４）は連結プレート１７の幅より僅かに広く形成され、プレート嵌入凹部１８の奥行きＴ（図２）は連結プレート１７の奥行きとほぼ同一に形成される。またメインプレート１２の縦及び横の長さをそれぞれＬ１及びＬ２（図１）とするとき、枠体１９の縦の長さＭ１は０．３Ｌ１〜０．７Ｌ１、好ましくは０．４Ｌ１〜０．６Ｌ１に設定され、枠体１９の横の長さＭ２は０．３Ｌ２〜０．７Ｌ２、好ましくは０．４Ｌ２〜０．６Ｌ２に設定される。枠体１９の縦及び横の長さを上記範囲に限定したのは、製造コストの増大を抑制し、かつ組付作業性を良好に保つとともに、枠体１９によりメインプレート１２の撓みを阻止するためである。
【００２０】
また図５に示すように、枠体１９の一対の腕部１９ｃ，１９ｃの先端近傍には、プレート嵌入凹部１８内に位置しかつ互いに対向する一対の被係合穴１９ｄ，１９ｄがそれぞれ形成され、連結プレート１７の外側面には、プレート嵌入凹部１８の連結プレート１７への嵌入時に、上記一対の被係合穴１９ｄ，１９ｄが係合可能な一対の係合突起１７ｂ，１７ｂがそれぞれ形成される。更に枠体１９の一対の腕部１９ｃ，１９ｃの先端内面コーナ部には一対の第１面取り１９ｅがそれぞれ形成され、連結プレート１７のプレート嵌入凹部１８への挿入方向前端の両側コーナ部には一対の第２面取り１７ｃ，１７ｃがそれぞれ形成される。
【００２１】
一方、支持具１３は、上記固定プレート１６と、この固定プレート１６を保持する筒状の支持具本体２２と、この支持具本体２２の外周面に所定の角度（１２０度）毎に基端が枢着された伸縮可能な３本の脚部２３とを有する（図１〜図４）。また支持具１３はメインプレート１２を支持する角度及び高さをそれぞれ独立して調整可能に構成される。即ち、支持具１３は、メインプレート１２を支持する角度を調整する角度調整手段２４と、メインプレート１２の高さを調整する高さ調整手段２６とを有する。
【００２２】
角度調整手段２４は、図２〜図４に詳しく示すように、支持具本体２２に上下動可能に挿通されたシャフト２７の上端に回動可能に嵌入された筒体２８と、固定プレート１６裏面の両側縁からそれぞれ突設され上記筒体２８を挟むように嵌入された一対の保持具２９，３０と、保持具２９，３０に回動可能に挿入されかつ筒体２８に螺合された一対のピン３１，３１とを有する。筒体２８の周壁には角度調整ボルト３２が螺合されるねじ孔２８ａが形成され、この角度調整ボルト３２を緩めてその先端をシャフト２７の外周面から離脱させることにより筒体２８がシャフト２７を中心に水平面内で回動し、角度調整ボルト３２を締付けてその先端をシャフト２７の外周面に圧接することにより筒体２８がシャフト２７に対して回動不能になるように構成される。
【００２３】
また一対の保持具２９，３０のうち一方の保持具２９には、保持具２９の外周面からピン３１の外周面に向うスリット２９ａ（図２及び図３）が形成されるとともに、スリット２９ａを通って角度調整ハンドル３３が螺合される。この角度調整ハンドル３３を緩めることによりスリット２９ａが拡がって保持具２９，３０がピン３１，３１を中心に鉛直面内で回動し、角度調整ハンドル３３を締付けることによりスリット２９ａが狭められて保持具２９，３０が筒体２８に対して回動不能になるように構成される。なお、角度調整手段は、シャフトの上端に球体を設け、この球体に保持具を回動可能に直接嵌入する構成、即ちボールジョイント構造であってもよい。
【００２４】
高さ調整手段２６は、伸縮可能に構成された３本の脚部２３を所定の長さでロックする第１ロック機構４１（図１）と、支持具本体２２に上下動可能に挿入されたシャフト２７を所定の高さでロックする第２ロック機構（図示せず）とを有する。なお、シャフト２７（図２及び図３）外周面にはその長手方向に延びてラック（図示せず）を設け、支持具本体２２にはこのラックに噛合するピニオン（図示せず）を回転可能に取付け、ピニオンの回転軸にハンドル（図示せず）を固着することが好ましい。このハンドルを回すことにより、メインプレート１２の高さが微調整可能に構成される。
【００２５】
このように構成されたテーブル兼用イーゼル１０の組立手順を説明する。
先ず支持具１３の３本の脚部２３を所定の長さまで伸張して第１ロック機構４１によりロックした後に、３本の脚部２３を開いて支持具１３を所定の場所に立てる。次いで固定プレート１６に連結プレート１７を載せて、連結プレート１７の雌ねじ１７ａに取付ボルト２１を螺合する。このとき連結プレート１７の雌ねじ１７ａが連結プレート１７に貫通して形成されており、また連結プレート１７の大きさは固定プレート１６より大きいけれどメインプレート１２より小さいので、取付ボルト２１を連結プレート１７の雌ねじ１７ａに比較的容易に螺合できる。次にメインプレート１２の裏面のプレート嵌入凹部１８を連結プレート１７に嵌入する。このとき枠体１９に第１面取り１９ｅ，１９ｅ（図５）が形成されかつ連結プレート１７に第２面取り１７ｃ，１７ｃ（図５）が形成されており、また枠体１９が透明プラスチックにより形成されているため、プレート嵌入凹部１８の連結プレート１７への挿入状態を目視により確認しながらプレート嵌入凹部１８を連結プレート１７にスムーズに挿入できる。更に枠体１９が弾性変形して枠体１９の被係合穴１９ｄ，１９ｄ（図５）が連結プレート１７の係合突起１７ｃ，１７ｃ（図５）に係合することにより、プレート嵌入凹部１８の連結プレート１７への挿入作業が完了したことを知ることができるとともに、枠体１９及びメインプレート１２が意図せずに連結プレート１７から離脱するのを防止できる。
【００２６】
この状態で角度調整ボルト３２及び角度調整ハンドル３３を緩めてメインプレート１２の支持角度を所望の角度に調整した後に角度調整ボル３２ト及び角度調整ハンドル３３を締付けてメインプレート１２を固定するという、比較的簡単な作業でテーブル兼用イーゼル１０を油絵用のイーゼルとして使用できる。
またメインプレート１２の支持角度を変更するときには、上記のようにメインプレート１２の支持角度をメインプレート１２の支持高さとは別に独立して調整できるので、このメインプレート１２に載せたカンバス１１の高さを殆ど変えることなく、カンバス１１の角度を極めて容易に変更できる。なお、メインプレート１２を支持具１３から取外すときは、上記手順と逆の手順で行う。
【００２７】
図６及び図７は本発明の第２の実施の形態を示す。図６及び図７において図１と同一符号は同一部品を示す。
この実施の形態では、折曲部１２ｂに所定の間隔をあけて曲率半径３〜１０ｍｍ、好ましくは５〜８ｍｍの複数の筆置き用凹部１２ｃが形成される。また内径６〜２０ｍｍ、好ましくは８〜１５ｍｍで、高さ４０〜１００ｍｍ、好ましくは６０〜８０ｍｍである４本の筆立て用パイプ５５が第１プレート５１に立設され、第１プレート５１がメインプレート１２の周縁に止め具５３を介して取外し可能に取付けられる（図６）。第１プレート５１はアルミニウム板、アルミニウム合金板又はプラスチック板等の軽量部材により略Ｌ字状に形成され、筆立て用パイプ５５はアルミニウムパイプ、アルミニウム合金パイプ又はプラスチックパイプ等の軽量部材により形成される。また筆立て用パイプ５５は第１プレート５１の起立部５１ａにリベット５４により固定される（図７）。
【００２８】
止め具５３は、図７に詳しく示すように、メインプレート１２の裏面に当接するベース板５３ａと、ベース板５３ａに回動可能に取付けられメインプレート１２の表面に当接する押え板５３ｂと、ベース板５３ａと押え板５３ｂとの間に設けられたねじりコイルばね５３ｃと、押え板５３ｂを回動させる操作レバー５３ｄとを有する。この止め具５３は、ねじりコイルばね５３ｃの弾性力を利用してメインプレート１２をベース板５３ａ及び押え板５３ｂにて挟むように構成される。ベース板５３ａの裏面には第１プレート５１がリベット５６により固定される。
【００２９】
更に内寸法３０〜１００ｍｍ、好ましくは５０〜８０ｍｍで、高さ１０〜１００ｍｍ、好ましくは２０〜８０ｍｍである筒状の３つの第１〜第３筒部材６１〜６３が第２プレート５２に立設される（図６）。第１〜第３筒部材６１〜６３及び第２プレート５２はプラスチックにより形成される。第１〜第３筒部材６１〜６３は第２プレート５２表面に接着剤又はプラスチック溶接により固着され、筒部材６１〜６３内に油等の液を貯留したときにこの液が漏れないように構成される。第１筒部材６１は比較的長い円筒により形成され、第２筒部材６２は比較的短い円筒により形成され、第３筒部材６３は比較的短い角筒により形成される。上記以外は第１の実施の形態と同一に構成される。
【００３０】
このように構成されたテーブル兼用イーゼル１０の使用方法を説明する。
先ず、第１の実施の形態のテーブル兼用イーゼルとは別のテーブル兼用イーゼル１０を第１の実施の形態と同様に組立てた後に、角度調整ボルト及び角度調整ハンドルを緩めてメインプレート１２が水平になるようにその支持角度を調整した後に角度調整ボルト及び角度調整ハンドルを締付けてメインプレート１２を固定する。次に第１プレート５１を止め具５３にてメインプレート１２の一方の側縁に取付ける。これにより第１プレート５１はメインプレート１２の一方の側縁から外方に張り出した状態で固定される。またメインプレート１２の他方の側縁に第２プレート５２の側縁を一致させた状態で、第２プレート５２をメインプレート１２上に置き、上記第１プレート５１とは別の第１プレート５１を止め具５３にてメインプレート１２及び第２プレート５２を挟むように取付ける。これにより第１プレート５１はメインプレート１２の他方の側縁から外方に張り出した状態で固定されるとともに、第２プレート５２はメインプレート１２に載った状態で固定される。このような簡単な作業でテーブル兼用イーゼル１０をテーブルとして使用できる。
【００３１】
この状態で筆置き用凹部１２ｃに筆６４の一部を収容した状態で筆６４をメインプレート１２上に置いたり、筆立て用パイプ５５に筆６４を挿入すると、風が吹いたり或いはメインプレート１２が振動しても、筆置き用凹部１２ｃに一部を収容した筆６４はメインプレート１２上から転落せず、筆立て用パイプ５５に挿入した筆６４は筆立て用パイプ５５から脱落しない。
更に第１筒部材６１に筆洗浄用の油６５を貯留すると、第１筒部材６１内の油６５により筆６４を洗浄することができ、第２筒部材６２に絵の具希釈用の油６６を貯留すると、第２筒部材６２内の油６６により絵の具を希釈でき、第３筒部材６３に上記筆洗浄用の油６５や絵の具希釈用の油６６の入った瓶６７を収容すると、第３筒部材６３により瓶６７を確実に保持できる。
【００３２】
なお、上記メインプレート上に、第１プレートや第２プレートの小物ではなく、水彩画用の画用紙を置くことにより、テーブル兼用イーゼルを水彩画用のイーゼルとして使用できる。この場合、メインプレートが水平に保持されているので、粘度の低い絵の具を用いても、絵の具が画用紙を伝わって流れ落ちることはなく、また自分の描いた水彩画を少し離れた位置から見たいときには、テーブル兼用イーゼルから離れるだけで済む。
また、第１筒部材に筆洗浄用の水を貯留し、第２筒部材に絵の具希釈用の水を貯留し、第３筒部材に上記水を入れた瓶を収容してもよい。
【００３３】
図８は本発明の第３の実施の形態を示す。図８において図１及び図６と同一符号は同一部品を示す。
この実施の形態では、テーブル兼用イーゼル１０が油絵用のイーゼルとして使用され、メインプレート１２の平面部１２ａ及び折曲部１２ｂに載せたカンバス１１がメインプレート１２にクリップ７１を介して固定される。またメインプレート１２の一方の側縁には第１プレート５１が止め具５３により取付けられる。なお、上記クリップ７１は、カンバス１１に付された絵の具が未乾燥の状態でも持ち運びできるように、絵の具の付された面を内側に向けて２枚のカンバスを所定の隙間をあけて固定するものである。上記以外は第１の実施の形態と同一に構成される。
【００３４】
このように構成されたテーブル兼用イーゼル１０では、風が吹いたり或いはメインプレート１２が振動しても、カンバス１１がクリップ７１によりメインプレート１２に固定されているため、カンバス１１がメインプレート１２から落ちることはない。また第１プレート５１を止め具５３によりメインプレート１２にその一方の側縁から外方に張り出した状態で固定し、この状態で筆立て用パイプ５５に筆６４を挿入すると、風が吹いたり或いはメインプレート１２が振動しても、筆立て用パイプ５５に挿入した筆６４は筆立て用パイプ５５から脱落しない。上記以外の動作及び使用方法は第１の実施の形態とほぼ同様であるので、繰返しの説明を省略する。
【００３５】
図９は本発明の第４の実施の形態を示す。図９において図６と同一符号は同一部品を示す。
この実施の形態では、メインプレート８２が３つに分割され、これらのメインプレート８２が蝶番８３を介して連結される。メインプレート８２は、幅の広い中央プレート８４と、この中央プレート８４の両側に配設された幅の狭い一対のサイドプレート８５，８５からなる。また中央プレート８４は平面部８４ａと、この平面部８４ａの下縁を折曲げて形成された折曲部８４ｂとを有し、サイドプレート８５は平面部８５ａのみにより構成される。一対のサイドプレート８５，８５は中央プレート８４と同一平面をなすように展開可能に構成されるとともに、中央プレート８４に折畳み可能に構成される。上記以外は第１及び第２の実施の形態と同一に構成される。
【００３６】
このように構成されたメインプレート８２の使用方法を説明する。
先ず、中央プレート８４に折畳まれた一対のサイドプレート８５，８５を蝶番８３を中心に外方にそれぞれ回転させる。これにより一対のサイドプレート８５，８５が中央プレート８４と同一平面をなすように展開される。次に左側のサイドプレート８５の上縁から中央プレート８４の上縁にかけて止め具５３により第１プレート５１を取付ける。更に右側のサイドプレート８５の上縁から中央プレート８４の上縁にかけて別の止め具５３により別の第１プレート５１を取付ける。これにより一対のサイドプレート８５，８５が中央プレート８４に対して展開され、これらのプレート８４，８５，８５が同一平面をなした状態で固定される。なお、展開されたメインプレート８２を折畳むときは、上記手順と逆の手順により行う。これによりメインプレート８２がコンパクトになるので、メインプレート８２の持ち運びが容易になる。上記以外の動作及び使用方法は第１〜第３の実施の形態と略同様であるので、繰返しの説明を省略する。
【００３７】
図１０及び図１１は本発明の第５の実施の形態を示す。図１０及び図１１において図１及び図６と同一符号は同一部品を示す。
この実施の形態では、メインプレート１２とほぼ同一形状に形成されたサブプレート９２を有する。サブプレート９２は、メインプレート１２と同様に、平面部９２ａと折曲部９２ｂとを有する（図１０）。またサブプレート９２は係止手段９３を介して第１の実施の形態と同一のテーブル兼用イーゼル１０の脚部２３に取付けられる。係止手段９３は、図１１に詳しく示すように、脚部２３に摺動可能に嵌入されたホルダ９３ａと、ホルダ９３ａに螺合されこのホルダ９３ａを脚部２３の所定の位置に固定する固定ねじ９３ｂと、サブプレート９２の折曲部９２ｂに所定の間隔をあけて形成された複数の係止孔９３ｃと、ホルダ９３ａに螺合され複数の係止孔９３ｃが選択的に係止する段付ねじ９３ｄとを有する。またサブプレート９２には第２の実施の形態の第１プレート５１や第２プレート５２が取外し可能に取付けられる（図１０）。なお、図１０の符号９２ｃは折曲部９２ｂに所定の間隔をあけて形成された複数の筆置き用凹部である。上記以外は第１の実施の形態と同一に構成される。
【００３８】
このように構成されたサブプレート９２の使用方法を説明する。
テーブル兼用イーゼル１０を油絵用のイーゼルとして使用する状態で、サブプレート９２の折曲部９２ｂに形成された複数の係止孔９３ｃのいずれかを段付ねじ９３ｄに係止することにより、サブプレート９２をその平面部９２ａがほぼ水平になるように脚部２３に取付ける。これにより単一の支持具１３に、カンバス１１を載せるメインプレート１２のみならず、第１プレート５１、第２プレート５２、筆６４、瓶６７等の小物を載せるサブプレート９２をも取付けることができる。この結果、２つ必要であった支持具１３が１つで済むので、部品点数を低減できるとともに、テーブル兼用イーゼル１０を比較的小さなスペースに設置できる。上記以外の動作及び使用方法は第１及び第２の実施の形態と略同様であるので、繰返しの説明を省略する。
【００３９】
【発明の効果】
以上述べたように、本発明によれば、メインプレートの平面部表面又は折曲部内面のいずれか一方又は双方にカンバス又は画用紙或いは小物を載せ、メインプレートを支持する角度及び高さをそれぞれ独立して調整可能に支持具が平面部の裏面中央を結合手段を介して支持するように構成したので、メインプレートに載せたカンバスの高さを殆ど変えることなく、カンバスの角度を極めて容易に変更できる。またメインプレートの支持角度及び支持高さを調整するという比較的簡単な作業で、イーゼルからテーブルに或いはテーブルからイーゼルに変更できる。
【００４０】
また支持具の頂部に設けられた結合手段の固定プレートに取付ボルトを回転可能に取付け、固定プレートより大きくかつメインプレートより小さく形成され更に固定プレートに固定された連結プレートの中央に取付ボルトが螺合する雌ねじを形成し、更にメインプレートの裏面中央に形成されたプレート嵌入凹部を連結プレートに嵌入すれば、メインプレートの支持具への取付け時に取付ボルトを雌ねじに容易に螺合でき、メインプレートの支持具からの取外し時に取付ボルトを雌ねじから容易に外すことができる。この結果、比較的簡単な作業でメインプレートを支持具に着脱できる。
【００４１】
また折曲部に所定の間隔をあけて所定の曲率半径の複数の筆置き用凹部を形成すれば、テーブルとしての使用時に、筆の一部を筆置き用凹部に収容した状態で筆をメインプレート上に置くことにより、筆のメインプレート上からの転落を防止できるとともに、新たな部品を追加せずに済むので、製造コストは増大しない。
また所定の寸法の筆立て用パイプを第１プレートに立設し、第１プレートをメインプレートの周縁に取外し可能に取付ければ、テーブルとしての使用時であっても、或いはイーゼルとしての使用時であっても、メインプレートの周縁に第１プレートを取付けて筆立て用パイプに筆を挿入することにより、筆の筆立て用パイプからの脱落を防止できるとともに、比較的簡単な部品の追加で済むので、製造コストの増大は僅かで済む。
【００４２】
また所定の寸法の筒部材を第２プレートに立設し、第２プレートをメインプレートの周縁に取外し可能に取付ければ、テーブルとしての使用時に、筒部材を筆洗浄用の壺や絵の具希釈用の壺として利用でき、また筒部材を瓶の転倒を防止する瓶の保持具として利用できる。
またメインプレートを複数に分割し、これらのメインプレートを蝶番を介して連結し全てのメインプレートが同一平面をなすように展開可能でかつ折畳み可能に構成すれば、使用時に展開されたメインプレートを搬送時に折畳むことにより、メインプレートを容易に持ち運ぶことができる。
更にメインプレートとほぼ同一形状にサブプレートを形成し、メインプレートが支持具に結合手段を介して支持された状態でサブプレートを係止手段を介して支持具にほぼ水平に取付ければ、単一の支持具に、カンバス又は画用紙を載せるメインプレートのみならず、小物を載せるサブプレートをも取付けることができるので、部品点数を低減できるとともに、比較的小さなスペースに設置できる。
【図面の簡単な説明】
【図１】本発明第１実施形態のテーブル兼用イーゼルをイーゼルとして使用している状態を示す斜め後方から見た斜視図。
【図２】メインプレートを支持具に取付ける直前の状態を示す図１のＡ−Ａ線断面図。
【図３】メインプレートを支持具に取付けた状態を示す図１のＡ−Ａ線断面図。
【図４】図３のＢ−Ｂ線断面図。
【図５】プレート嵌入凹部を連結プレートに嵌入する前後の状態を示す図４のＣ−Ｃ線断面図。
【図６】本発明第２実施形態のテーブル兼用イーゼルをテーブルとして使用している状態を示す斜視図。
【図７】図６のＤ−Ｄ線断面図。
【図８】本発明第３実施形態のテーブル兼用イーゼルをイーゼルとして使用している状態を示す斜め前方から見た斜視図。
【図９】本発明第４実施形態のテーブル兼用イーゼルのメインプレートを展開する手順を示す図。
【図１０】本発明第５実施形態のテーブル兼用イーゼルの支持部にサブプレートを取付けた状態を示す要部斜視図。
【図１１】図１０のＥ部拡大断面図。
【符号の説明】
１０  テーブル兼用イーゼル
１１  カンバス
１２，８２  メインプレート
１２ａ  平面部
１２ｂ  折曲部
１２ｃ  筆置き用凹部
１３  支持具
１４  結合手段
１６  固定プレート
１７  連結プレート
１７ａ  雌ねじ
１８  プレート嵌入凹部
２１  取付ボルト
５１  第１プレート
５２  第２プレート
５５  筆立て用パイプ
６１〜６３  筒部材
８３  蝶番
９２  サブプレート
９３  係止手段
【図１】
2005007009.tif 000003
【図２】
2005007009.tif 000004
【図３】
2005007009.tif 000005
【図４】
2005007009.tif 000006
【図５】
2005007009.tif 000007
【図６】
2005007009.tif 000008
【図７】
2005007009.tif 000009
【図８】
2005007009.tif 000010
【図９】
2005007009.tif 000011
【図１０】
2005007009.tif 000012
【図１１】
2005007009.tif 000013